(57)【要約】【課題】印刷装置において、シート媒体のセット等に必要な作業を容易にする。【解決手段】カバー６０が閉位置Ｃ０に移動する過程で、第２係合部６１が第１係合部９１に接触して第１係合部９１を変位させることにより、ガイド部９７がガイド位置Ｄ２に移動し、カバー６０が閉位置Ｃ０から第１の開位置Ｃ１に向けて移動する過程で、第２係合部６１と第１係合部９１との接触が解除されて、ガイド部９７がガイド位置Ｄ２から開放位置Ｄ１に移動する。【選択図】図９
2020138856.tif 000002
【特許請求の範囲】
【請求項１】
シート媒体を受け部とガイド部との間に挟み、前記シート媒体をガイドするシートガイド機構であって、
前記ガイド部は、前記受け部と対向して前記シート媒体を挟むガイド位置と、前記受け部との間に前記シート媒体を挿抜可能な開放位置と、に移動可能に構成され、
前記シート媒体を覆うカバーと、
前記ガイド部と係合して前記ガイド部を前記ガイド位置に移動させる第１係合部と、を備え、
前記カバーは、前記シート媒体を覆う閉位置と、前記シート媒体を操作可能な開口を形成する開位置と、に移動可能であり、前記閉位置で前記第１係合部に接触する第２係合部を有し、
前記カバーが前記閉位置に移動する過程で、前記第２係合部が前記第１係合部に接触して前記第１係合部を変位させることにより、前記ガイド部が前記ガイド位置に移動し、
前記カバーが前記閉位置から前記開位置に向けて移動する過程で、前記第２係合部と前記第１係合部との接触が解除されて、前記ガイド部が前記ガイド位置から前記開放位置に移動する、
シートガイド機構。
【請求項２】
前記ガイド部を前記開放位置に向けて付勢する付勢部材を備え、
前記カバーが前記閉位置に移動する過程で、前記第１係合部によって前記ガイド部が前記付勢部材の付勢力に抗して押圧され、前記ガイド部が前記ガイド位置へ移動する、
請求項１に記載のシートガイド機構。
【請求項３】
前記受け部および前記ガイド部は、前記シート媒体の搬送方向と交わる幅方向に離れた２箇所に配置され、
前記受け部および前記ガイド部の少なくともいずれかは、前記シート媒体と当接し、前記シート媒体の前記幅方向における移動を規制する規制面を有する、
請求項１又は２に記載のシートガイド機構。
【請求項４】
２つの前記受け部の少なくとも一方は、前記シート媒体の前記幅方向に移動可能である、
請求項３に記載のシートガイド機構。
【請求項５】
前記シート媒体を搬送する搬送部と、
前記シート媒体に印刷する印刷部と、
請求項１から４のいずれか一項に記載のシートガイド機構と、を有し、前記搬送部により搬送される前記シート媒体を前記シートガイド機構によりガイドする、印刷装置。
【発明の詳細な説明】
【技術分野】
【０００１】
本発明は、シートガイド機構、および、印刷装置に関する。
【背景技術】
【０００２】
従来、紙などのシート状の印刷媒体に印刷する印刷装置において、印刷媒体の端部を押さえるシートガイド機構を備えるものが知られている（例えば、特許文献１参照）。
【先行技術文献】
【特許文献】
【０００３】
【特許文献１】特開２０１５−２０８７５号公報
【発明の概要】
【発明が解決しようとする課題】
【０００４】
上記従来の印刷装置において、印刷媒体をシートガイド機構にセットする場合には、多くの作業を必要とする。例えば、特許文献１記載の印刷装置においては、印刷装置のカバーを開く操作の後に、印刷媒体を押さえるガイド部を開放位置に移動させる操作が必要である。さらに、印刷媒体をシートガイド機構に配置する操作、ガイド部をガイド位置に移動させる操作、および、カバーを閉じる操作が必要である。このため、印刷媒体をセットする場合等の作業負担を軽減することが望まれていた。
本発明は、上述した事情に鑑みてなされたものであり、シート媒体に印刷する印刷装置が、シート媒体をガイドするシートガイド機構を備える構成において、シート媒体のセットなどに必要な作業を容易にすることを目的とする。
【課題を解決するための手段】
【０００５】
上記課題を解決する一態様は、シート媒体を受け部とガイド部との間に挟み、前記シート媒体をガイドするシートガイド機構であって、前記ガイド部は、前記受け部と対向して前記シート媒体を挟むガイド位置と、前記受け部との間に前記シート媒体を挿抜可能な開放位置と、に移動可能に構成され、前記シート媒体を覆うカバーと、前記ガイド部と係合して前記ガイド部を前記ガイド位置に移動させる第１係合部と、を備え、前記カバーは、前記シート媒体を覆う閉位置と、前記シート媒体を操作可能な開口を形成する開位置と、に移動可能であり、前記閉位置で前記第１係合部に接触する第２係合部を有し、前記カバーが前記閉位置に移動する過程で、前記第２係合部が前記第１係合部に接触して前記第１係合部を変位させることにより、前記ガイド部が前記ガイド位置に移動し、前記カバーが前記閉位置から前記開位置に向けて移動する過程で、前記第２係合部と前記第１係合部との接触が解除されて、前記ガイド部が前記ガイド位置から前記開放位置に移動する、ことを特徴とする。
【０００６】
上記シートガイド機構において、前記ガイド部を前記開放位置に向けて付勢する付勢部材を備え、前記カバーが前記閉位置に移動する過程で、前記第１係合部によって前記ガイド部が前記付勢部材の付勢力に抗して押圧され、前記ガイド部が前記ガイド位置へ移動させてもよい。
【０００７】
上記シートガイド機構において、前記受け部および前記ガイド部は、前記シート媒体の搬送方向と交わる幅方向に離れた２箇所に配置され、前記受け部および前記ガイド部の少なくともいずれかは、前記シート媒体と当接し、前記シート媒体の前記幅方向における移動を規制する規制面を有してもよい。
【０００８】
上記シートガイド機構において、２つの前記受け部の少なくとも一方は、前記シート媒体の前記幅方向に移動可能としてもよい。
【０００９】
また、上記目的を達成する別の一態様は、前記シート媒体を搬送する搬送部と、前記シート媒体に印刷する印刷部と、記載のシートガイド機構と、を有し、前記搬送部により搬送される前記シート媒体を前記シートガイド機構によりガイドする、印刷装置である。
【図面の簡単な説明】
【００１０】
【図１】ファンフォールド紙を装填した印刷装置の内部構造を示す側面図。
【図２】印刷装置の背面図。
【図３】前支持部とカバー前部の係合機構を示す要部側面図。
【図４】後支持部とカバー後部の係合機構を示す要部側面図。
【図５】カバー後部の緩衝機構の動作を示す説明図。
【図６】ロール紙を装填した印刷装置の内部構造を示す側面図。
【図７】シートガイド機構を示す側面図。
【図８】シートガイド機構を示す平面図。
【図９】紙押さえを示す斜視図。
【図１０】紙押さえの要部側面図。
【図１１】紙押さえの要部後面図。
【発明を実施するための形態】
【００１１】
以下、図面を参照して本発明の実施形態について説明する。図中、符号Ｕｐは上方を、符号Ｆｒは前方を、符号Ｒｈは右方をそれぞれ示す。
図１に示すように、印刷装置１は印刷装置本体１０を備えている。印刷装置本体１０には、記録媒体に印刷する印刷部２０と、記録媒体を収容する収容部２１と、収容部２１を覆うカバー６０とが設けられている。印刷装置本体１０において、収容部２１は印刷部２０の後方に設けられている。
図１に示す用紙Ｐは、ファンフォールド紙１０１である。用紙Ｐは紙案内３３と紙押さえ３４に案内されて、前方の印刷部２０に送られる。印刷部２０で印刷された用紙Ｐは、印刷装置１の前面に形成される排紙口２２より排出される。紙案内３３は用紙Ｐを下方から支持する台であり、紙押さえ３４は、紙案内３３に対向して用紙Ｐの上方に位置し、用紙Ｐの浮き上がりを押さえる。
【００１２】
紙案内３３および紙押さえ３４の前方には、印刷部２０が配置される。印刷部２０は、プラテン３５、印刷ヘッド４０、キャリッジガイド軸４１、４２で構成される。本実施形態の印刷ヘッド４０は、複数色のインクを噴射可能である。噴射可能なインクとしては、例えばシアン、マゼンダ、イエロー、黒の４色のインクを用紙Ｐに噴射できる。インクはインクカートリッジ２４内に貯蔵される。
インクカートリッジ２４は、印刷装置本体１０の前下部に配置される。インク供給ユニット２３は印刷装置本体１０の前上部に設けられる。インク供給ユニット２３を介してインクカートリッジ２４内のインクが印刷ヘッド４０に供給される。印刷ヘッド４０は、印刷装置１の左右幅方向に配置されたキャリッジガイド軸４１、４２に沿って、走査を行い用紙Ｐに印刷を行う。また、インクカートリッジ２４の前方には、印刷装置１の動作を制御する基板２５が配置される。
【００１３】
印刷部２０のプラテン３５は、搬送方向Ｆに沿って配置される平面を有する。この平面は用紙Ｐの搬送経路１１０の下方に位置して、印刷ヘッド４０に対向している。プラテン３５は、印刷装置１の印刷装置本体１０に固定され、用紙Ｐを下方から支持している。プラテン３５の平面は、印刷装置１の設置状態及び使用状態においてほぼ水平となる。プラテン３５の平面上には搬送ベルト５２が通り、搬送ベルト５２は幅広の無端形状のベルトであり、プラテン３５の平面上からローラー５２ａを介して、プラテン３５の下方に回り込むように配置される。
搬送ベルト５２の表面のうち、少なくともプラテン３５の平面上で上を向く面は、摩擦係数の高い粗面となっている。搬送ベルト５２はゴムや合成樹脂等の弾性材料により構成されることが好ましい。そして、プラテン３５の下方には、搬送ベルト５２を動かす図示しない駆動機構が配置されている。
【００１４】
印刷ヘッド４０と紙押さえ３４との間には、プラテン３５に対向して図示しない従動ローラーが配置されている。
従動ローラーは、印刷装置１の印刷装置本体１０に回転自在に支持されている。従動ローラーは、プラテン３５の平面に向けて付勢されている。搬送経路１１０において、用紙Ｐは図示しない従動ローラーと搬送ベルト５２との間に挟まれて、搬送ベルト５２の移動にともない確実に搬送方向Ｆに搬送される。
また、印刷ヘッド４０には、用紙Ｐを搬送ベルト５２から浮き上がらないように押さえる図示しない押さえローラーが配置されている。紙案内３３と紙押さえ３４、搬送ベルト５２、ローラー５２ａおよび搬送ベルト５２を駆動する機構により、用紙Ｐを印刷部２０に搬送する搬送部３０となる。
【００１５】
印刷装置本体１０の前面には、用紙Ｐをカットするためのカッターユニットが装着可能である。カッターユニットは、用紙Ｐの幅方向において一部を切り残すカットをするものであってもよいし、用紙Ｐを完全に切断するものであってもよい。印刷装置１は、印刷ヘッド４０で印刷された用紙Ｐを、カッターユニットにより所定長さにカットして、排紙口２２から排出可能となる。
【００１６】
印刷装置本体１０の前面には、排紙口２２の下方に、図示しない巻取ユニットが着脱可能である。巻取ユニットは、排紙口２２から排出される用紙Ｐを巻き取る巻取ドラムと、巻取ドラムを回転させる図示しない駆動部とを有し、用紙Ｐを巻き取り可能とする。印刷装置本体１０の前面には、ピーラーを取付けてもよい。ピーラーは、ラベルを剥離紙から取外しながら剥離紙を巻き取ることができる。
【００１７】
印刷装置本体１０の後部には、上部が開口した収容部２１が設けられている。収容部２１は、印刷部２０の後方に配置されている。収容部２１内に紙案内３３と紙押さえ３４が配置されている。収容部２１はカバー６０により覆われる。
【００１８】
本実施形態によれば、カバー６０は、前支持部１１と後支持部１２とにより、二つの方向Ｒ１、Ｒ２に開閉自在に支持されている。カバー６０は、前支持部１１を基準として、後部６０ｒが第１方向Ｒ１に回動されて、第１の開位置Ｃ１まで回動される。また、カバー６０は、後支持部１２を基準として、前部６０ｆが第２方向Ｒ２に回動されて、第２の開位置Ｃ２まで回動される。
【００１９】
図２は、印刷装置の背面図である。
図２に示すように、カバー６０が閉じられた状態で、印刷装置１の後面には挿入口７１が形成されている。挿入口７１は、後部６０ｒの下部に設けられた切欠部６０ｎと、印刷装置１の外装６の後部上縁６ａとの間に形成される。挿入口７１は収容部２１の後端の上部に形成される。
ファンフォールド紙１０１は、図１に示すように、収容部２１に連通する挿入口７１を通し、印刷装置１の内部に供給される。
【００２０】
切欠部６０ｎは、図１に示すカバー６０が閉じた閉位置Ｃ０において、後述する第２支軸１２ａの高さを超える位置まで開口して形成される。これにより、カバー６０が第２の開位置Ｃ２まで開いた状態において、切欠部６０ｎと外装６との間には、挿入口７１が形成されている。したがって、カバー６０が第２の開位置Ｃ２に位置しても、挿入口７１が後方に露出するため、挿入口７１に用紙Ｐを通し、印刷装置１にファンフォールド紙１０１を装填することができる。
また、カバー６０は、前支持部１１を基準として、後部６０ｒが第１方向Ｒ１に回動されて、第１の開位置Ｃ１まで回動される。カバー６０が、第１の開位置Ｃ１まで回動されるときには、収容部２１と、第１の開位置Ｃ１のカバー６０で囲まれる開口は、印刷装置１の後方に向かい大きく開口する。これにより、カバー６０が第１の開位置Ｃ１に位置しても、印刷装置１の後方に配置されるファンフォールド紙１０１を、印刷装置１の後方より容易に装填できる。
【００２１】
図３は、前支持部１１と、カバー６０の前部６０ｆとの係合機構Ａを示す要部側面図である。印刷装置本体１０の左右側部に設けられた前支持部１１の間に、カバー６０の前部６０ｆが配置される。左右の前支持部１１には、それぞれカバー６０に向けて延出される第１支軸１１ａが設けられている。左右の第１支軸１１ａは後述する第２支軸１２ａとともに、カバー６０を回動可能に支持する支軸部６０ａを構成する。
カバー６０の前部６０ｆが開かれる場合には、係合機構Ａと第１支軸１１ａとの係合が解除され、前部６０ｆが前支持部１１から離間する。
第１支軸１１ａはカバー６０に向けて突出した短いピンである。第１支軸１１ａの延出方向は印刷装置１の左右方向に一致している。
係合機構Ａは、第１支軸１１ａに係合する第１フック部材６５と、第１フック部材６５の回動軸である前ロッド６４ｆと、係合を解除する前レバー６６ｆとにより構成される。前ロッド６４ｆの左右端部には、カバー６０の前部６０ｆの左右に設けられた第１フック部材６５がそれぞれ相対回動不能に固定される。
前ロッド６４ｆの中央には前レバー６６ｆが固定され、前レバー６６ｆは前ロッド６４ｆを回動軸としてカバー６０に回動自在に支持される。
【００２２】
図１に示すカバー６０が閉位置Ｃ０において、第１支軸１１ａは前部６０ｆの左右側面に設けたガイド溝６７に嵌り、第１フック部材６５により係合される。第１フック部材６５は先端部が回動方向に向けて曲がったフック形状に構成される。第１フック部材６５は係合位置Ａ１と解除位置Ａ２を移動可能である。
第１フック部材６５は、解除位置Ａ２から係合位置Ａ１に移動するように、図示しない付勢部材により付勢されている。
ガイド溝６７は前部６０ｆの厚み方向において中途部より、カバー６０が閉じた状態において、前斜め下方に向けて設けられる。
【００２３】
カバー６０の前部６０ｆを閉じる際には、第１支軸１１ａはガイド溝６７の下端部６７ｂよりガイド溝６７内に導入される。そして、第１支軸１１ａが第１フック部材６５に当接して、第１フック部材６５を解除位置Ａ２に向けて回動させる。第１支軸１１ａがガイド溝６７の上端部６７ａに至ると、第１フック部材６５が係合位置Ａ１に復帰する。そして、ガイド溝６７の上端部６７ａと第１フック部材６５の間に第１支軸１１ａが保持される。これにより、係合機構Ａと第１支軸１１ａが係合する。
【００２４】
係合位置Ａ１において、第１フック部材６５はガイド溝６７の後面６７ｃよりガイド溝６７に突出する。ガイド溝６７内において第１フック部材６５は、ガイド溝６７の下端部６７ｂに向けて、ガイド溝６７内への突出量が少なくなる形状に構成される。
【００２５】
カバー６０の前部６０ｆを閉じる際には、図１に示す第２支軸１２ａを中心に、前部６０ｆが下方に回動される。これにより、第１支軸１１ａがガイド溝６７に導入され、第１支軸１１ａが第１フック部材６５を押して回動させる。そして、第１支軸１１ａがガイド溝６７の上端部６７ａに到達すると、第１フック部材６５がガイド溝６７内に突出して、第１フック部材６５とガイド溝６７により第１支軸１１ａが係止される。
【００２６】
カバー６０が、前部６０ｆから開く際には、第１支軸１１ａの係止を解除する。この際、前レバー６６ｆが、前ロッド６４ｆを中心に上方に回動される。これにより、前レバー６６ｆおよび第１フック部材６５が解除位置Ａ２に移動する。
そして、第１フック部材６５がガイド溝６７内より退避する。これにより、第１支軸１１ａの係止が解除され、ガイド溝６７内に第１支軸１１ａが嵌った状態で、カバー６０の前部６０ｆが、第２方向Ｒ２に回動可能となる。
【００２７】
本実施形態では、第１支軸１１ａの周りに、前部６０ｆを中心とした回動を緩衝する、歯車輪列としての緩衝機構７０が設けられている。緩衝機構７０は、印刷装置１の前支持部１１の上端部に設けられた第１内歯車７３と、カバー６０の前部６０ｆに設けられた第１平歯車７２と、中間歯車７４と、第１ダンパー７６と、第１ダンパー７６の回転軸に取付けられたダンパー歯車７５により構成される。
第１平歯車７２はカバー６０に回動自在に支持される。第１平歯車７２の回動軸は印刷装置１の左右方向に一致する。第１平歯車７２に噛合った中間歯車７４は、ダンパー歯車７５を介して第１ダンパー７６に第１平歯車７２の回転を伝達する。第１ダンパー７６としては、例えば、流動抵抗を用いた回転ダンパーや摩擦抵抗を用いた回転ダンパーを用いることができる。第１内歯車７３は、第１支軸１１ａの周辺部であって、周回部分に設けられる。第１内歯車７３は、前支持部１１の上端部において、第１支軸１１ａを中心とする円弧上に形成されている。
【００２８】
第１平歯車７２は、カバー６０が閉位置Ｃ０で、前部６０ｆより前方に第１平歯車７２の一部が突出するように配置される。
カバー６０が第１支軸１１ａを中心に所定の角度以上回動すると、第１平歯車７２が第１内歯車７３と噛合い第１平歯車７２が回転する。そして、第１ダンパー７６が第１平歯車７２の回転に負荷を与え、カバー６０の回動を緩衝する。所定の角度はカバー６０形状により適宜設定される。
【００２９】
前部６０ｆの緩衝機構７０において、第１平歯車７２と第１内歯車７３とが噛合わない範囲が設けられている。直線Ｆ１はカバー６０が閉位置Ｃ０の第１平歯車７２の回転中心と第１支軸１１ａを通る直線である。直線Ｆ２は第１平歯車７２が第１内歯車７３と接触を開始する状態において第１平歯車７２の回転中心と第１支軸１１ａを通る直線である。直線Ｆ３はカバー６０の第２の開位置Ｃ２において第１平歯車７２の回転中心と第１支軸１１ａを通る直線である。
直線Ｆ１から直線Ｆ２の回動範囲Ｇ１において、第１平歯車７２が第１内歯車７３と接触せず、第１ダンパー７６は動作しない。回動範囲Ｇ１の角度が、第１平歯車７２と第１内歯車７３とが接触しない、所定の角度Ｇ１となる。また、回動範囲Ｇ１を、カバー６０が閉位置Ｃ０から第２支軸１２ａと第２フック部材６８とが接触する回動位置までの範囲に設定してもよい。これにより、第２支軸１２ａとの接触により、カバー６０の姿勢変化する場合に第１平歯車７２と第１内歯車７３に負荷が掛かりにくい。
直線Ｆ２から直線Ｆ３の回動範囲Ｇ２において、第１平歯車７２が第１内歯車７３と接触し、第１ダンパー７６は動作する。このように、カバー６０の閉位置Ｃ０から第２の開位置Ｃ２の間で、第１ダンパー７６が動作しない回動範囲Ｇ１と、第１ダンパー７６が動作する回動範囲Ｇ２が順に設けられる。
【００３０】
図４は、後支持部１２と、カバー６０の後部６０ｒの係合機構Ｂを示す要部側面図である。係合機構Ｂは、第２フック部材６８と、第２フック部材６８の回動軸である後ロッド６４ｒと、第２フック部材６８と一体的に回動する後レバー６６ｒと、により構成される。第２フック部材６８は後ロッド６４ｒに固定される。後ロッド６４ｒの左右端部には第２フック部材６８がそれぞれ相対回動不能に固定される。また、後ロッド６４ｒの中央部には後レバー６６ｒが固定される。後ロッド６４ｒは後ロッド６４ｒを回動軸としてカバー６０に回動自在に支持される。
【００３１】
印刷装置１の左右側部に設けられた後支持部１２の間にカバー６０の後部６０ｒが配置される。後支持部１２にはカバー６０に向けて延出される第２支軸１２ａが設けられている。左右の第２支軸１２ａは第１支軸１１ａとともに、カバー６０を回動可能に支持する支軸部６０ａを構成する。第２支軸１２ａはカバー６０に向けて突出した短いピンである。そして、第２支軸１２ａの延出方向は印刷装置１の左右方向に一致している。
カバー６０の後部６０ｒが開かれる場合には、係合機構Ｂと第２支軸１２ａの係合が解除され、後部６０ｒが後支持部１２から離間する。
カバー６０が閉位置Ｃ０において、第２支軸１２ａはカバー６０に設けたガイド溝６９に嵌り、第２フック部材６８により係止される。
【００３２】
ガイド溝６９はカバー６０の後部６０ｒの左右側面に設けられる。ガイド溝６９は後部６０ｒの下端部より、カバー６０が閉じた状態において、前斜め下方に向けて設けられる。ガイド溝６９の下端部６９ｂは下方に向けて開口する。カバー６０を閉じる際には、第２支軸１２ａはガイド溝６９の下端部６９ｂよりガイド溝６９内に導入される。ガイド溝６９の上端部６９ａと第２フック部材６８により、第２支軸１２ａが係止される。
【００３３】
第２フック部材６８は先端部が回動方向に向けて曲がったフック形状に構成される。第２フック部材６８は係合位置Ｂ１と解除位置Ｂ２を移動可能である。第２フック部材６８はバネ６８ａにより、解除位置Ｂ２から係合位置Ｂ１に回動するように付勢される。
【００３４】
第２フック部材６８はガイド溝６９の前面６９ｃよりガイド溝６９内に突出する。ガイド溝６９に突出した部分の第２フック部材６８は、ガイド溝６９の下端部６９ｂに向けて、ガイド溝６９内への突出量が少なくなるように構成される。
これにより、カバー６０の後部６０ｒを閉じる際に、第２支軸１２ａがガイド溝６９に導入され、第２支軸１２ａが第２フック部材６８を押して、第２フック部材６８を係合位置Ｂ１からに解除位置Ｂ２に回動させる。
そして、第２支軸１２ａがガイド溝６９の上端部６９ａに到達すると、第２フック部材６８がガイド溝６９内に突出して、第２フック部材６８とガイド溝６９により第２支軸１２ａが係止される。
【００３５】
カバー６０の後部６０ｒを開く際には、第２支軸１２ａの係止が解除される。後レバー６６ｒを上方に回動することにより、第２フック部材６８をガイド溝６９内より退避させ、第２フック部材６８が係合位置Ｂ１から解除位置Ｂ２に移動する。これにより第２支軸１２ａの係止が解除され、第２支軸１２ａがガイド溝６９内を移動可能となる。
【００３６】
本実施形態では、後部６０ｒを中心とした回動を緩衝する、歯車輪列として構成される緩衝機構８０が設けられている。
緩衝機構８０は、後支持部１２の上端部に設けられた第２内歯車８３と第２平歯車８２と、中間歯車８４と、第２ダンパー８６と、第２ダンパー８６の回動軸と一体的に回動するダンパー歯車８５により構成される。
第２平歯車８２と、中間歯車８４と、第２ダンパー８６はカバー６０の後部６０ｒに設けられる。第２内歯車８３は、第２支軸１２ａの周辺部であって、周回部分に設けられる。第２内歯車８３は後支持部１２の上端部において、第２支軸１２ａを中心とする円弧上に形成される。
【００３７】
第２平歯車８２はカバー６０の後部６０ｒに回動自在に支持される。第２平歯車８２の回動軸は印刷装置１の左右方向に一致する。第２平歯車８２に噛合った中間歯車８４は第２ダンパー８６に第２平歯車８２の回転を伝達する。そして、第２ダンパー８６が第２平歯車８２の回転運動を緩衝する。
第２平歯車８２は後部６０ｒより下方に一部が突出するように配置される。そして、カバー６０が第２支軸１２ａを中心に所定の角度以上回動すると、第２平歯車８２が第２内歯車８３と噛合い第２平歯車８２が回転する。そして、第２ダンパー８６が第２平歯車８２の回転に負荷を与え、カバー６０の回動を緩衝する。また、第２ダンパー８６の設定によりカバー６０の自重による回動しないようにできる。所定の角度はカバー６０形状により適宜設定される。
【００３８】
次に、緩衝機構７０、８０の動作について説明する。
図５はカバー６０の後部６０ｒの緩衝機構８０の動作を示す説明図である。図５において、状態Ｓ１はカバー６０が閉じられた状態を示す。
この状態Ｓ１においては、第２平歯車８２と第２内歯車８３とは噛合っておらず、後部６０ｒの第２ダンパー８６は動作していない。回動範囲Ｈ１の角度が、第２平歯車８２と第２内歯車８３とが接触しない、所定の角度Ｈ１となる。
状態Ｓ２はカバー６０の前部６０ｆが上方に回動され、第２平歯車８２と第２内歯車８３とが噛合いはじめた状態を示す。第２平歯車８２と第２内歯車８３とが噛合いはじめると、第２ダンパー８６が動作し始める。
状態Ｓ３はカバー６０の後方への最大回動状態を示す。状態Ｓ３はカバー６０が第２の開位置Ｃ２に開かれた状態を示す。状態Ｓ３においては、カバー６０の第２方向Ｒ２への回動は図示しないストッパにより規制される。直線Ｌ１は状態Ｓ１における第２支軸１２ａと第２平歯車８２の回転軸８２ａを結ぶ直線である。直線Ｌ２は状態Ｓ２における第２支軸１２ａと回転軸８２ａを結ぶ直線である。直線Ｌ３は状態Ｓ３における第２支軸１２ａと回転軸８２ａを結ぶ直線である。
【００３９】
カバー６０は状態Ｓ１から状態Ｓ３まで、第２支軸１２ａを回動中心として回動される。状態Ｓ１から状態Ｓ３までの範囲において、第２ダンパー８６が作用しない範囲が設けられる。状態Ｓ１から状態Ｓ２までのカバー６０の回動範囲Ｈ１において、第２平歯車８２は第２内歯車８３と接触しない。
そして、状態Ｓ２から状態Ｓ３のカバー６０の回動範囲Ｈ２において、第２平歯車８２は第２内歯車８３と接触する。
【００４０】
回動範囲Ｈ１において、第２平歯車８２と第２内歯車８３が噛合わない。このため、回動範囲Ｈ１において、第２ダンパー８６が動作しない。
第２支軸１２ａを回動中心としてカバー６０を開く場合に、前部６０ｆの前レバー６６ｆが持ち上げられる。前レバー６６ｆが持ち上げられ、第１支軸１１ａと係合機構Ａの係合が解除される。前部６０ｆが第２方向Ｒ２に回動する。第１支軸１１ａとの係合が十分に解除される状態まで、第２ダンパー８６が動作しないため、前部６０ｆを開くための回動範囲Ｈ１における動作が円滑に行える。
【００４１】
回動範囲Ｈ２において、第２平歯車８２が第２内歯車８３と噛合う。この際、第２平歯車８２が回転方向Ｒ３に回転ながら第２内歯車８３に噛合う。
これにより、カバー６０の回動により第２平歯車８２が回動し、中間歯車８４およびダンパー歯車８５を介して第２ダンパー８６に駆動力が伝達される。そして、第２ダンパー８６が動作してカバー６０の回動に負荷がかかる。このため、回動範囲Ｈ２でカバー６０を回動させる場合に、第２ダンパー８６によりカバー６０の回動時の挙動が安定する。また、カバー６０の急激な開閉が抑制される。
【００４２】
第２支軸１２ａを回動中心としてカバー６０を閉じる場合に、回動範囲Ｈ２で第２ダンパーが動作している状態から回動範囲Ｈ１において第２ダンパーが動作しない状態となり、カバー６０に第１支軸１１ａを容易に係合させることができる。これにより、カバー６０を確実に閉じることができる。また、カバー６０の自重を利用してカバー６０の前部６０ｆを閉じることができる。回動範囲Ｈ１を、カバー６０が閉位置Ｃ０から第１支軸１１ａと第１フック部材６５とが接触する回動位置までの範囲に設定してもよい。これにより、第１支軸１１ａとの接触により、カバー６０の姿勢変化する場合に第２平歯車８２と第２内歯車８３に負荷が掛かりにくい。
【００４３】
本実施形態では、カバー６０が開状態から閉位置Ｃ０になる直前では、図５の状態Ｓ１に示すように、第２平歯車８２が第２内歯車８３と噛合わないように、第２平歯車８２が第２内歯車８３の外側に逃げる構造となっている。したがって、本実施形態では、カバー６０が、第２平歯車８２と第２内歯車８３とが噛合った状態で閉位置Ｃ０になる場合と比べて、第２平歯車８２のロックを防止できる。
【００４４】
第２ダンパー８６の抵抗力は任意に設定可能であり、第２ダンパー８６によりカバー６０の自重による回動を制限することも可能である。この場合には、カバー６０を状態Ｓ２から状態Ｓ３の間で、任意の位置にカバー６０を保持可能となっている。
【００４５】
次に、図３に示す前部６０ｆの緩衝機構７０の動作について説明する。
緩衝機構７０の動作は、緩衝機構８０の動作とほぼ同じである。カバー６０は、図３の閉じた状態から、図１に示すように、前支持部１１を基準として、後部６０ｒが第１方向Ｒ１に回動されて、第１の開位置Ｃ１まで回動される。
図３の状態は、第１平歯車７２と第１内歯車７３とが噛合っていない状態であり、緩衝機構７０は動作していない。カバー６０が、図３の閉じた状態から、第１方向Ｒ１に徐々に回動され始めると、第１平歯車７２と第１内歯車７３との噛合が始まり、上述した緩衝機構８０の動作と同様にして、第１ダンパー７６が徐々に動作し始める。カバー６０が、前方への最大回動状態である第１の開位置Ｃ１に至ると、カバー６０の第１方向Ｒ１への回動は図示しないストッパにより規制される。
回動範囲Ｇ１は、第１平歯車７２が第１内歯車７３と接触せず、第１ダンパー７６が動作しない範囲である。回動範囲Ｇ２は、第１平歯車７２が第１内歯車７３と接触し、第１ダンパー７６が動作する範囲である。このように、カバー６０の前部６０ｆの緩衝機構７０においても、緩衝機構８０と同様にして、第１ダンパー７６が動作しない回動範囲Ｇ１と、第１ダンパー７６が動作する回動範囲Ｇ２とが設けられている。
【００４６】
本実施形態では、カバー６０が開状態から閉位置Ｃ０になる直前では、図３に示すように、第１平歯車７２が第１内歯車７３と噛合わないように、第１平歯車７２が第１内歯車７３の外側に逃げる構造となっている。したがって、本実施形態では、カバー６０が、第１平歯車７２と第１内歯車７３とが噛合った状態で閉位置Ｃ０になる場合と比べて、第１平歯車７２のロックを防止できる。
【００４７】
第１ダンパー７６の抵抗力は任意に設定可能であり、第１ダンパー７６によりカバー６０の自重による回動を制限することも可能である。
【００４８】
図６は、ロール紙１０２を装填した状態を示している。図１と同一部分には同一符号を付して示し、その説明は省略する。
本実施形態では、印刷装置１の前方よりロール紙を装填する場合、カバー６０の前部６０ｆが第２方向Ｒ２に回動されて、収容部２１が開かれる。開かれた収容部２１にロール紙１０２が配置される。配置されたロール紙１０２の一端が引き出され、紙案内３３と紙押さえ３４の間に装填される。そして、用紙Ｐが印刷部２０に導入され、カバー６０が閉じられる。印刷装置１の前方より作業する際には、カバー６０の前部６０ｆから開いて第２の開位置Ｃ２まで開かれるため、印刷装置１の前方よりの作業空間を大きくとれる。
本実施形態では、図１に示す第１の開位置Ｃ１まで、カバー６０の後部６０ｒを開いて、印刷装置１の後方からロール紙１０２を装填してもよい。
【００４９】
本実施形態の印刷装置１では、カバー６０は、前部６０ｆもしくは後部６０ｒより開けられるので、用紙Ｐの搬送方向Ｆに沿って、印刷装置１の前方および後方よりファンフォールド紙やロール紙を装填できる。したがって、用紙Ｐの装填作業のために印刷装置１の配置上の自由度が制限されにくくなる。
【００５０】
次にシートガイド機構９０について説明する。
図７はシートガイド機構９０を示す側面図である。図８はシートガイド機構９０を示す平面図である。
シートガイド機構９０は、用紙Ｐを搬送部３０においてガイドする。シートガイド機構９０は、紙案内３３の案内面３３ｂに設けられた紙押さえ３４、およびカバー６０を含む。案内面３３ｂには、搬送方向Ｆと交差する方向に離間して一対の紙押え３４が配置される。これらを右紙押さえ３４ａ、および、左紙押さえ３４ｂとする。
【００５１】
紙押さえ３４は、右紙押さえ３４ａ、および、左紙押さえ３４ｂによって、用紙Ｐの右側端部と左側端部とをそれぞれ支持した状態で、用紙Ｐを搬送する。この構成により、搬送中の用紙Ｐの浮きが規制され、用紙Ｐを安定して搬送できる。
【００５２】
左紙押さえ３４ｂは、案内面３３ｂ上の左端部に固定される。右紙押さえ３４ａは案内面３３ｂに沿って、搬送方向Ｆと交差する方向に移動可能に設けられる。
【００５３】
右紙押さえ３４ａは、後述するように、受け部９６とガイド部９７との間に用紙Ｐを挟み、左紙押さえ３４ｂは、受け部１９６とガイド部１９７との間に用紙Ｐを挟む。用紙Ｐは、右紙押さえ３４ａと左紙押さえ３４ｂとによって、左右の両側端部をそれぞれ支持された状態で、搬送方向Ｆに搬送される。
【００５４】
案内面３３ｂには、搬送方向Ｆに交差する方向に延びるガイド開口３３ａが形成される。ガイド開口３３ａは、案内面３３ｂに穿設された溝であり、図８に示す例では、搬送方向Ｆと直交し、印刷装置本体１０の左右方向に延びている。
【００５５】
左紙押さえ３４ｂは、ガイド開口３３ａの左端に固定される。
右紙押さえ３４ａは、ボックス部９６ｈを備える。ボックス部９６ｈは、右押さえ３４ａから下方に突出するロック軸９６ｄと、ロック軸９６ｄの下端に取り付けられたロックプレート９６ｆとを有し、ロックプレート９６ｆはガイド開口３３ａに嵌め込まれる。ガイド開口３３ａの内部にはレール３３ｄが配置され、ロックプレート９６ｆはレール３３ｄの下方に位置する。
【００５６】
ロックプレート９６ｆには、摩擦体９６ｅが取付けられている。ロックプレート９６ｆは、図示しない付勢部材により、摩擦体９６ｅをレール３３ｄに押し付ける方向に付勢されている。この状態では、摩擦体９６ｅとレール３３ｄとの摩擦により、ロックプレート９６ｆはレール３３ｄに固定される。
【００５７】
右紙押さえ３４ａには、解除レバー９８が設けられる。解除レバー９８は、図示しないリンクによりロックプレート９６ｆに連結されており、解除レバー９８が押圧操作された場合、ロックプレート９６ｆが、ロック軸９６ｄを中心として図中符号Ｒ４で示す方向に回動する。これにより、摩擦体９６ｅがレール３３ｄから離れ、ロックプレート９６ｆの固定が解除される。
【００５８】
右紙押さえ３４ａは、ガイド開口３３ａに沿って移動可能であり、解除レバー９８が押されない状態で、摩擦体９６ｅとレール３３ｄとの摩擦によって固定される。解除レバー９８が押圧されると、右紙押さえ３４ａはガイド開口３３ａに沿って移動可能となる。このように、右紙押さえ３４ａを、用紙Ｐの側端部の位置に合わせてガイド開口３３ａに沿って移動可能であるため、印刷装置１は、様々な幅の用紙Ｐを紙押さえ３４により支持できる。
【００５９】
次に、紙押さえ３４が用紙Ｐを挟むための構成および作用について説明する。右紙押さえ３４ａと左紙押さえ３４ｂとは、ガイド開口３３ａへの固定状態を除き、左右対称に構成される。このため、以下では、右紙押さえ３４ａを用いて説明する。
【００６０】
図９は、右紙押さえ３４ａを示す斜視図である。図１０は、右紙押さえ３４ａの要部側面図である。図１１は、右紙押さえ３４ａの要部後面図である。
図９、図１０および図１１には、右紙押さえ３４ａの各部の位置として、開放位置Ｄ１、ガイド位置Ｄ２、および、押し込み位置Ｄ３を示す。
【００６１】
開放位置Ｄ１は、右紙押さえ３４ａにおいて用紙Ｐの装着および取り外しが可能な状態を示す。ガイド位置Ｄ２は、右紙押さえ３４ａによって用紙Ｐが着脱しないよう支持され、搬送方向Ｆに搬送される用紙Ｐを右紙押さえ３４ａがガイドする状態を示す。押し込み位置Ｄ３については後述する。
【００６２】
右紙押さえ３４ａは、上述した受け部９６およびガイド部９７に加え、第１係合部９１を備えている。第１係合部９１は、当接アーム９２と係合アーム９４とをアーム軸９３により連結したリンクレバーであり、アーム軸９３にはバネ９５が配置されている。
【００６３】
当接アーム９２は、印刷装置１のカバー６０に当接する棒状部材であり、右紙押さえ３４ａから突出する。アーム軸９３は、受け部９６に立設された軸であり、当接アーム９２および係合アーム９４を回動自在に支持する。
図１１に示すように、当接アーム９２および係合アーム９４は、印刷装置本体１０の幅方向に順に重ねられ、当接アーム９２が右側に位置する。
【００６４】
バネ９５は、ねじりコイルバネであり、コイル部分９５ａがアーム軸９３に挿嵌されて固定される。バネ９５の一端は当接アーム９２に係合し、他端は係合アーム９４に係合ししている。バネ９５により、当接アーム９２と係合アーム９４とはアーム軸９３を中心として所定の相対位置を維持するように付勢される。詳細には、当接アーム９２と係合アーム９４とは、開放位置Ｄ１における相対位置を維持するように、バネ９５により付勢される。当接アーム９２に外力が加わった場合、当接アーム９２と係合アーム９４とは、開放位置Ｄ１における相対位置を維持して、アーム軸９３を中心として回動する。ここで、当接アーム９２と係合アーム９４との間に、所定以上の外力が加わった場合、当接アーム９２と係合アーム９４はバネ９５の付勢力に抗して互いに変位する。
【００６５】
当接アーム９２は、アーム軸９３から、搬送方向Ｆにおける上流側に突出する。当接アーム９２の先端部は案内面３３ｂから離れる方向に屈曲しており、屈曲した先端を当接部９２ａとする。当接部９２ａは、後述するように、印刷装置１のカバー６０に設けられる第２係合部６１に当接する。当接部９２ａの先端は、第２係合部６１に当接した状態で滑りやすいように曲面に加工されている。
一方、係合アーム９４の先端は案内面３３ｂ側に延び、係合アーム９４の先端部には、ガイド部９７に係合する係合部９４ａが設けられる。
【００６６】
受け部９６は、受け部フレーム９６ａを備え、受け部フレーム９６ａにアーム軸９３が立設される。また、受け部９６の下部には、ガイド部９７が、回動軸９６ｉによって回動可能に支持される。回動軸９６ｉは、例えば、搬送方向Ｆに平行な軸である。
【００６７】
受け部９６には、ガイド部９７との間に用紙Ｐを挟む対向面９６ｂと、用紙Ｐの左右方向の移動を規制する規制面９６ｃとが設けられる。対向面９６ｂは、案内面３３ｂに略平行な面であり、ガイド部９７の回動範囲に配置される。ガイド部９７が用紙Ｐの上面に接し、対向面９６ｂが用紙Ｐの下面に接することで、用紙Ｐを支持する。対向面９６ｂは、受け部フレーム９６ａより左方向に延出され、先上がりとなる斜面状に形成されているので、用紙Ｐの側端部の折れや曲がりを防止できる。
【００６８】
規制面９６ｃは、案内面３３ｂと交差する方向の面であり、搬送方向Ｆに沿って延びている。規制面９６ｃは、対向面９６ｂに対して鋭角に構成されるので、ダイカットラベル用紙等の用紙Ｐの側端を効果的に規制できる。
【００６９】
図示はしないが、印刷装置１は、左紙押さえ３４ｂにおいても、右紙押さえ３４ａと左右対称の構成を具備する。これにより、用紙Ｐの側端部の折れや曲がりを防止しつつ、用紙Ｐの側端部を支持して、搬送中の用紙Ｐをガイドできる。
【００７０】
なお、規制面９６ｃをガイド部９７に設ける構成としてもよい。例えば、ガイド位置Ｄ２において、ガイド部９７の規制面が、用紙Ｐの左右方向の移動を規制する構成とすることができる。
【００７１】
ガイド部９７は、回動軸９６ｉによって回動可能に支持され、図１１に示す開放位置Ｄ１と、ガイド位置Ｄ２とに変位する。ガイド部９７は、ガイド位置Ｄ２において対向面９６ｂと対向するシート押圧体９７ａを備える。シート押圧体９７ａは、ガイド位置Ｄ２において用紙Ｐに接する面であり、対向面９６ｂとの間に用紙Ｐを挟む。
【００７２】
シート押圧体９７ａは、ガイド部９７のガイド部フレーム９７ｆに形成された挿入孔９７ｂに挿入される。挿入孔９７ｂの内部には、ガイド部フレーム９７ｆとシート押圧体９７ａとを付勢するバネ９７ｃが配置される。また、ガイド部９７に設けられた図示しないストッパにより、ガイド部フレーム９７ｆからのシート押圧体９７ａの突出が制限される。バネ９７ｃは圧縮コイルバネで構成され、ガイド位置Ｄ２において、シート押圧体９７ａを用紙Ｐに向けて所定の力で付勢する。換言すると、用紙Ｐは、シート押圧体９７ａによってバネ９７ｃの付勢力で押圧される。この構成により、用紙Ｐに加わる押圧力を安定させることができ、例えば、用紙Ｐを過度に押圧して、搬送を妨げてしまうことがない。
【００７３】
なお、左紙押さえ３４ｂにおいては、ガイド部１９７に、２つのシート押圧体１９７ａが設けられ、用紙Ｐの左側端部を押圧する。
【００７４】
ガイド部９７と受け部９６との間には、付勢部材９９が配置される。付勢部材９９は、回動軸９６ｉに係合して配置され、図示しないねじりコイルバネを有する。
ガイド部９７の受け部フレーム９６ａ側には第１係止部９７ｄが形成され、受け部フレーム９６ａのガイド部９７側の面には第２係止部９６ｇが形成される。付勢部材９９は、第１係止部９７ｄと第２係止部９６ｇとの間に位置し、ねじりコイルバネの付勢力により、第１係止部９７ｄと第２係止部９６ｇを近接させる方向に付勢する。すなわち、付勢部材９９は、回動軸９６ｉを中心として回動するガイド部９７を、開放位置Ｄ１側に付勢する。従って、ガイド部９７は、外力が加わっていない状態では、付勢部材９９の付勢力によって開放位置Ｄ１に位置する。ガイド部９７の回動範囲は、受け部フレーム９６ａに配置された図示しないストッパにより、開放位置Ｄ１とガイド位置Ｄ２との間に制限される。
【００７５】
ガイド部９７は、係合アーム９４の左側に配置され、係合アーム９４側の縁部９７ｅは、開放位置Ｄ１において係合アーム９４の先端である係合部９４ａに係合する。縁部９７ｅは開放位置Ｄ１において、図１１における下部、すなわち案内面３３ｂの近くに位置する。後述するように係合アーム９４が回動することにより、縁部９７ｅが係合部９４ａによって持ち上げられ、案内面３３ｂから離れる方向に押圧される。この押圧力により、ガイド部９７は、回動軸９６ｉを中心として回動し、開放位置Ｄ１からガイド位置Ｄ２に変位する。
【００７６】
左紙押さえ３４ｂは、右紙押さえ３４ａと左右対称の構成を有しており、右紙押さえ３４ａの第１係合部９１に対応する第１係合部１９１、受け部９６に対応する受け部１９６、および、ガイド部９７に対応するガイド部１９７を備える。また、左紙押さえ３４ｂは、右紙押さえ３４ａの当接アーム９２および係合アーム９４に対応する当接アーム１９２および係合アーム１９４を備える。従って、左紙押さえ３４ｂの構成および動作は、上述した右紙押さえ３４ａと同様であるため、一部の図示および説明を省略する。
【００７７】
シートガイド機構９０に対しては、カバー６０が開かれた状態でアクセス可能となる。シートガイド機構９０に用紙Ｐを装填する場合、および、用紙Ｐを取り外す場合には、カバー６０が第１の開位置Ｃ１または第２の開位置Ｃ２に開けられ、紙押え３４に対する操作が可能となる。
【００７８】
カバー６０が第１の開位置Ｃ１または第２の開位置Ｃ２にある場合、右紙押さえ３４ａおよび左紙押さえ３４ｂは、開放位置Ｄ１に位置する。
カバー６０が、第１の開位置Ｃ１または第２の開位置Ｃ２から閉位置Ｃ０に閉じられる過程で、右紙押さえ３４ａおよび左紙押さえ３４ｂに対してカバー６０から押圧力が加わり、右紙押さえ３４ａと左紙押さえ３４ｂはガイド位置Ｄ２に変位し、用紙Ｐを挟む。
【００７９】
図７に示すように、カバー６０の裏面６０ｂには、閉位置Ｃ０において収容部２１に向けて突出する第２係合部６１が設けられている。第２係合部６１は、右係合体６１ａ、および、左係合体６１ｂを含む。
【００８０】
左係合体６１ｂは、閉位置Ｃ０においてカバー６０の左部の左紙押さえ３４ｂと対向する位置に設けられる。右係合体６１ａは、左係合体６１ｂよりも右側に配置される。右係合体６１ａは、印刷装置本体１０の左右方向に延設され、右紙押さえ３４ａがガイド開口３３ａに沿って移動可能な範囲に対応して配置される。このため、右紙押さえ３４ａがガイド開口３３ａに沿って移動されても、右係合体６１ａが右紙押さえ３４ａに対応する位置にある。
【００８１】
第１の開位置Ｃ１または第２の開位置Ｃ２と、閉位置Ｃ０との間の位置において、右係合体６１ａは、開放位置Ｄ１に位置する右紙押さえ３４ａの第１係合部９１に当接する。同様に、左係合体６１ｂは、開放位置Ｄ１に位置する第１係合部１９１の当接アーム１９２に当接する。カバー６０がさらに閉位置Ｃ０に近い位置に移動すると、右係合体６１ａは当接アーム９２を押圧し、左係合体６１ｂは当接アーム１９２を押圧する。
【００８２】
右紙押さえ３４ａにおいては、当接部９２ａが右係合体６１ａによって押圧されることにより、当接アーム９２が図１０に示すＲ６方向に回動する。これに伴い、当接アーム９２および係合アーム９４は、開放位置Ｄ１からガイド位置Ｄ２に変位する。
【００８３】
係合アーム９４が変位することで、係合部９４ａは、図１１に示すように縁部９７ｅを押し上げて、付勢部材９９の付勢力に抗してガイド部９７をＲ５方向に回動させる。
【００８４】
ガイド部９７は、カバー６０が閉位置Ｃ０に達する前にガイド位置Ｄ２に到達する。さらにカバー６０が変位して、閉位置Ｃ０に達すると、当接アーム９２はガイド位置Ｄ２よりも大きく回動し、図１０の押し込み位置Ｄ３に到達する。
【００８５】
当接アーム９２がガイド位置Ｄ２から押し込み位置Ｄ３に変位する過程では、ガイド部９７はガイド位置Ｄ２に位置しており、このガイド部９７に対して係合アーム９４からさらなる力が加わることになる。しかしながら、印刷装置１では、当接アーム９２と係合アーム９４とが固定されておらず、係合アーム９４はバネ９５を介して当接アーム９２に連結された構成となっている。このため、当接アーム９２と係合アーム９４との間に、バネ９５の付勢力よりも大きな力が加わった場合、バネ９５が変形して過剰な力を吸収する。このため、係合アーム９４からガイド部９７に対し、過度の力が加わることはない。
【００８６】
さらにまた、ガイド部９７の回動範囲は、受け部フレーム９６ａに配置された図示しないストッパにより制限されており、ガイド部９７は、ガイド位置Ｄ２を超えてガイド開口３３ａに近づかない。このため、右紙押さえ３４ａから用紙Ｐに加わる力はバネ９７ｃの付勢力を超えることがない。従って、右紙押さえ３４ａにより、用紙Ｐを適切な力で押圧して支持することができ、用紙Ｐの搬送は阻害されない。
【００８７】
また、カバー６０が閉位置Ｃ０に位置する状態では、当接アーム９２は押し込み位置Ｄ３に位置し、バネ９５の付勢力によって支持される。この状態では、右紙押さえ３４ａが用紙Ｐを押圧する状態が解除されることがないため、安定して用紙Ｐを搬送できる。また、右紙押さえ３４ａにおける部品のがたつきを防止できる。
【００８８】
上記の動作は、カバー６０を第１の開位置Ｃ１から閉じて閉位置Ｃ０に移動させる場合、および、カバー６０を第２の開位置Ｃ２から閉じる場合のいずれにおいても該当する。
【００８９】
また、カバー６０を閉位置Ｃ０から第１の開位置Ｃ１または第２の開位置Ｃ２に開く場合には、カバー６０の回動に伴い、右係合体６１ａが当接アーム９２から離れる方向に移動し、左係合体６１ｂは当接アーム１９２から離れる方向に移動する。
【００９０】
これに伴い、当接アーム９２は押し込み位置Ｄ３からガイド位置Ｄ２を経て開放位置Ｄ１に向けて移動する。係合アーム９４は、当接アーム９２の変位に伴って回動し、係合部９４ａが縁部９７ｅから下方に離れる。この過程で、ガイド部９７は、付勢部材９９の付勢力によって、ガイド位置Ｄ２から開放位置Ｄ１へ変位し、受け部９６とガイド部９７が用紙Ｐを挟む押圧力が解除される。
【００９１】
そして、カバー６０の回動によって、ガイド部９７が開放位置Ｄ１まで移動すると、シート押圧体９７ａが用紙Ｐから離れ、用紙Ｐを紙押さえ３４から取り外す操作、および用紙Ｐを紙押さえ３４に装着する操作が可能となる。
【００９２】
また、右係合体６１ａ、および左係合体６１ｂは、当接アーム９２、１９２にそれぞれ当接し、カバー６０の変位に伴い摺動する。このため、右係合体６１ａおよび左係合体６１ｂの表面は、滑らかな曲面または平面であることが好ましい。
【００９３】
以上説明したように、実施形態に係るシートガイド機構９０は、シート媒体である用紙Ｐを受け部９６とガイド部９７との間に挟み、用紙Ｐをガイドするシートガイド機構９０である。ガイド部９７は、受け部９６と対向して用紙Ｐを挟むガイド位置Ｄ２と、受け部９６との間に用紙Ｐを挿抜可能な開放位置Ｄ１と、に移動可能に構成される。シートガイド機構９０は、用紙Ｐを覆うカバー６０と、ガイド部９７と係合してガイド部９７をガイド位置Ｄ２に移動させる第１係合部９１と、を備える。カバー６０は、用紙Ｐを覆う閉位置Ｃ０と、用紙Ｐを操作可能な開口を形成する開位置である第１の開位置Ｃ１もしくは第２の開位置Ｃ２と、に移動可能である。カバー６０は、閉位置Ｃ０で第１係合部９１に接触する第２係合部６１を有する。カバー６０が閉位置Ｃ０に移動する過程で、第２係合部６１が第１係合部９１に接触して第１係合部９１を変位させることにより、ガイド部９７がガイド位置Ｄ２に移動する。カバー６０が閉位置Ｃ０から第１の開位置Ｃ１もしくは第２の開位置Ｃ２に向けて移動する過程で、第２係合部６１と第１係合部９１との接触が解除されて、ガイド部９７がガイド位置Ｄ２から開放位置Ｄ１に移動する。
【００９４】
本発明を適用したシートガイド機構９０、および、シートガイド機構９０を備える印刷装置１によれば、カバー６０を閉じる操作に伴い、受け部９６とガイド部９７との間に用紙Ｐが挟まれ、シートガイド機構９０が用紙Ｐをガイド可能な状態となる。これにより、用紙Ｐを装填する場合の作業は少ない工程で済み、作業負担が極めて軽い。また、カバー６０を開くことにより、シートガイド機構９０が用紙Ｐを挟む状態が解除されるので、用紙Ｐを取り出す場合の作業も少ない工程で済み、作業負担が極めて軽い。
【００９５】
シートガイド機構９０は、ガイド部９７を開放位置Ｄ１に向けて付勢する付勢部材９９を備える。シートガイド機構９０においては、カバー６０が閉位置Ｃ０に移動する過程で、第１係合部９１によってガイド部９７が付勢部材９９の付勢力に抗して押圧され、ガイド部９７がガイド位置Ｄ２へ移動する。これにより、カバー６０を開閉する操作に連動して、用紙Ｐがシートガイド機構９０に挟み込まれ、或いは挟み込みが解除される。従って、印刷装置１における用紙Ｐの装填、および、取り出しの作業が、極めて少ない工程で済む。
【００９６】
受け部９６およびガイド部９７は、用紙Ｐの搬送方向Ｆと交わる幅方向に離れた２箇所に配置される。受け部９６およびガイド部９７の少なくともいずれかは、用紙Ｐと当接し、用紙Ｐの幅方向における移動を規制する規制面９６ｃを有する。これにより、用紙Ｐの搬送中における幅方向の動きと、用紙Ｐの面に交差する方向における動きとを規制でき、安定して用紙Ｐを搬送できる。
【００９７】
シートガイド機構９０において、２つの受け部９６、１９６の少なくとも一方は、用紙Ｐの幅方向に移動可能である。上記実施形態では、右紙押さえ３４ａが、ガイド開口３３ａに沿って移動可能である。この構成によれば、用紙Ｐの幅に合わせてガイド部の位置を調節できる。
【００９８】
上述した各実施形態は、本発明の一態様を示すものに過ぎず、本発明の具体的態様および本発明の適用範囲は上記実施形態に限定されない。
例えば、上記実施形態では、ガイド開口３３ａに沿って右紙押さえ３４ａを移動可能とし、左紙押さえ３４ｂは固定された構成を例示したが、本発明はこれに限定されず、例えば、左紙押さえ３４ｂをガイド開口３３ａに沿って移動可能としてもよい。
【００９９】
また、例えば、印刷装置１は、第１の開位置Ｃ１および第２の開位置Ｃ２に開くことが可能なカバー６０を備える構成としたが、第１の開位置Ｃ１と第２の開位置Ｃ２のいずれか一方のみに開くことが可能な構成であってもよい。この場合も、シートガイド機構９０により、上記実施形態の効果を得ることができる。
【０１００】
また、印刷装置１がシートガイド機構９０によってガイド可能な用紙Ｐは、両側端部が切り落とされたロール紙やファンフォールド紙のほか、両側端部にスプロケット穴が設けられたシートであってもよい。また、紙以外の材料からなる印刷媒体であってもよいし、表面がコーティングされた印刷媒体であってもよい。
【０１０１】
さらに、シートガイド機構９０は、印刷装置１において印刷媒体をガイドする構成に限定されず、スキャナー、ラミネート加工装置、或いはその他のシート状の媒体を搬送する各種装置に適用可能である。
【符号の説明】
【０１０２】
１…印刷装置、６…外装、６ａ…後部上縁、１０…印刷装置本体、１１…前支持部、１１ａ…第１支軸、１２…後支持部、１２ａ…第２支軸、２０…印刷部、２１…収容部、２２…排紙口、２３…インク供給ユニット、２４…インクカートリッジ、２５…基板、３０…搬送部、３３…紙案内、３３ａ…ガイド開口、３３ｂ…案内面、３３ｄ…レール、３４…紙押さえ、３４ａ…右紙押さえ、３４ｂ…左紙押さえ、３５…プラテン、４０…印刷ヘッド、４１…キャリッジガイド軸、４２…キャリッジガイド軸、５２…搬送ベルト、５２ａ…ローラー、６０…カバー、６０ａ…支軸部、６０ｆ…前部、６０ｎ…切欠部、６０ｒ…後部、６４ｆ…ロッド、６４ｒ…後ロッド、６５…第１フック部材、６６ｆ…レバー、６６ｒ…後レバー、６７…ガイド溝、６７ａ…上端部、６７ｂ…下端部、６７ｃ…後面、６８…第２フック部材、６８ａ…バネ、６９…ガイド溝、６９ａ…上端部、６９ｂ…下端部、６９ｃ…前面、７１…挿入口、７２…第１平歯車、７３…第１内歯車、７４…中間歯車、７５…ダンパー歯車、７６…第１ダンパー、８２…第２平歯車、８２ａ…回転軸、８３…第２内歯車、８４…中間歯車、８５…ダンパー歯車、８６…第２ダンパー、９０…シートガイド機構、９１…第１係合部、９２…アーム、９２ａ…当接部、９３…アーム軸、９４…係合アーム、９４ａ…係合部、９５…バネ、９５ａ…コイル部分、９６…受け部、９６ａ…受け部フレーム、９６ｂ…対向面、９６ｃ…規制面、９６ｈ…ボックス部、９６ｄ…ロック軸、９６ｅ…摩擦体、９６ｆ…ロックプレート、９６ｇ…第２係止部、９６ｉ…回動軸、９７…ガイド部、９７ａ…シート押圧体、９７ｂ…挿入孔、９７ｃ…バネ、９７ｄ…第１係止部、９７ｅ…縁部、９７ｆ…ガイド部フレーム、９８…解除レバー、９９…付勢部材、１０１…ファンフォールド紙（外部記録媒体）、１０２…ロール紙、１１０…搬送経路、１９１…第１係合部、１９２…当接アーム、１９４…係合アーム、１９６…受け部、１９６ｂ…対向面、１９７…ガイド部、１９７ａ…シート押圧体、Ａ…係合機構、Ａ１…係合位置、Ａ２…解除位置、Ｂ…係合機構、Ｂ１…係合位置、Ｂ２…解除位置、Ｃ０…閉位置、Ｃ１…第１の開位置、Ｃ２…第２の開位置、Ｃ３…接触位置、Ｄ１…開放位置、Ｄ２…ガイド位置、Ｄ３…押し込み位置、Ｆ…搬送方向、Ｐ…用紙（シート媒体）、Ｒ１…第１方向、Ｒ２…第２方向、Ｒ３…回転方向、Ｒ４…回動方向、Ｒ５…回動方向、Ｒ６…回動方向、Ｒ７…回転方向、Ｒ２１…回転方向。
【図１】
2020138856.tif 000003
【図２】
2020138856.tif 000004
【図３】
2020138856.tif 000005
【図４】
2020138856.tif 000006
【図５】
2020138856.tif 000007
【図６】
2020138856.tif 000008
【図７】
2020138856.tif 000009
【図８】
2020138856.tif 000010
【図９】
2020138856.tif 000011
【図１０】
2020138856.tif 000012
【図１１】
2020138856.tif 000013